(57)【要約】【課題】アウトセット引き戸の停止時の跳ね返りや下部の振れを防止することができるアウトセット引き戸用ストッパを提供する。【解決手段】アウトセット引き戸用ストッパは、アウトセット引き戸３の底部に取り付けられるストッパ受け具２と、アウトセット引き戸３の真下の床上に取り付けられるストッパ１と、から構成される。ストッパ１には磁石２４に吸着可能なストッパ部材１２が水平位置から斜め上方に傾斜回動可能に枢支される。ストッパ受け具２には磁石２４がストッパ部材１２の吸着作用に応じて揺動可能に取り付けられる。これにより、引き戸の停止時の跳ね返りや下部の振れが防止され、引き戸と床面の間隙が変化した場合でも、磁石はストッパ部材に追従して良好に吸着することができる。【選択図】図１
2005120668.tif 000002
【特許請求の範囲】
【請求項１】
アウトセット引き戸の底部に取り付けられるストッパ受け具と、該アウトセット引き戸の真下の床上に取り付けられるストッパと、を備えたアウトセット引き戸用ストッパであって、
該ストッパには磁石に吸着可能なストッパ部材が水平位置から斜め上方に傾斜回動可能に枢支され、該ストッパ受け具には磁石が該ストッパ部材の吸着作用に応じて揺動可能に取り付けられたことを特徴とするアウトセット引き戸用ストッパ。
【請求項２】
前記ストッパのストッパ部材はアウトセット引き戸の走行方向に沿った垂直面内で傾斜回動するように配設されたことを特徴とする請求項１記載のアウトセット引き戸用ストッパ。
【請求項３】
前記ストッパ受け具の磁石は磁石ケースに収納され、該磁石ケースが揺動軸を介して揺動可能に軸支され、該磁石ケースの揺動面が前記ストッパ部材の傾斜回動面と一致し、該磁石の吸着面が該ストッパ部材の吸着面と一致するように該磁石ケースと該ストッパ部材が傾動することを特徴とする請求項２記載のアウトセット引き戸用ストッパ。
【発明の詳細な説明】
【技術分野】
【０００１】
本発明は、アウトセット引き戸を止めるストッパに関し、特に引き戸の底部と床上に取り付けられて使用されるアウトセット引き戸用ストッパに関する。
【背景技術】
【０００２】
部屋のリフォームなどにおいて、比較的簡単に施工の可能な外付け用引き戸としてアウトセット引き戸が普及しつつある。この種のアウトセット引き戸は、一般に、上レール上に係合したローラが回転して走行するため、非常に軽くまた勢いよく走行することから、閉じたり開いたりする際、レールの端部に設けたストッパに引き戸が勢いよく当って跳ね返り、半開きになり易いという問題があった。
【０００３】
そのため、従来では、下記特許文献１などにおいて、アウトセット引き戸がレールの端部に当った際、跳ね返りを抑えて引き戸を停止させようにしたストッパが提案されている。
【特許文献１】特開２００２−３４９１２５
【発明の開示】
【発明が解決しようとする課題】
【０００４】
しかし、この種の従来のアウトセット引き戸用ストッパは、通常、上レールに取り付けられ、レール上を走行するローラに当て、或いは引き戸の支持フレームに当てて停止させる構造であるため、引き戸の下部はフリーになってしまい、引き戸の下部が不安定に振れる課題があった。
【０００５】
本発明は、上述の課題を解決するものであり、アウトセット引き戸の停止時の跳ね返りや下部の振れを防止することができるアウトセット引き戸用ストッパを提供することを目的とする。
【課題を解決するための手段】
【０００６】
上記目的を達成するために、本発明のアウトセット引き戸用ストッパは、アウトセット引き戸の底部に取り付けられるストッパ受け具と、アウトセット引き戸の真下の床上に取り付けられるストッパと、を備えたアウトセット引き戸用ストッパであって、ストッパには磁石に吸着可能なストッパ部材が水平位置から斜め上方に傾斜回動可能に枢支され、ストッパ受け具には磁石がストッパ部材の吸着作用に応じて揺動可能に取り付けられたことを特徴とする。
【０００７】
ここで、請求項２のように、上記ストッパのストッパ部材はアウトセット引き戸の走行方向に沿った垂直面内で傾斜回動するように配設することができる。
【０００８】
また、請求項３のように、上記ストッパ受け具の磁石は、磁石ケースに収納されて、磁石ケースが揺動軸を介して揺動可能に軸支され、磁石ケースの揺動面がストッパ部材の傾斜回動面と一致し、磁石の吸着面がストッパ部材の吸着面と一致するように、磁石ケースとストッパ部材が傾動するように構成することができる。
【発明の効果】
【０００９】
上記構成のアウトセット引き戸用ストッパは、ストッパ受け具がアウトセット引き戸の底部に取り付けられ、ストッパがアウトセット引き戸の真下の床上に取り付けられて使用される。アウトセット引き戸がレール上を走行し、引き戸の底部のストッパ受け具がストッパ上に到達すると共に、レール上ストッパなどに当って引き戸が停止すると、床上のストッパのストッパ部材が、引き戸の底部に設けたストッパ受け具の磁石に吸引されて上方に傾動し、その磁石に吸着する。これにより、アウトセット引き戸の上部と下部がストッパによって確実に停止し、停止時の跳ね返りが防止されると共に、引き戸の下部の振れが防止され、引き戸を安定して止めることができる。また、ストッパ部材が傾斜回動可能に枢支され、磁石が揺動可能に取り付けられているから、引き戸と床面の間隙が変化した場合でも、ストッパ部材を磁石に追従させて良好に吸着させることができる。
【発明を実施するための最良の形態】
【００１０】
以下、本発明の一実施形態を図面に基づいて説明する。図１はアウトセット引き戸用ストッパの斜視図を示している。このアウトセット引き戸用ストッパは、床上に取り付けられるストッパ１と、アウトセット引き戸３の底部に取り付けられるストッパ受け具２とから構成される。
【００１１】
ストッパ１は、図１、図６、図７に示すように、ベースとして取付板１１を備えており、取付板１１の中央開口部に、金属板のストッパ部材１２を回動可能に軸支して形成される。取付板１１は、図７に示すように、金属板から形成されたベース板１１ａと合成樹脂製のカバー１１ｂとから構成され、ベース板１１ａには、中央に矩形の開口部１１ｃが形成され、その開口部１１ｃの端部に軸受部１１ｄが設けられている。
【００１２】
開口部１１ｃ内には矩形板状のストッパ部材１２が配設され、軸受部１１ｄとストッパ部材１２の元部に回動軸１３を嵌装することにより、ストッパ部材１２が水平位置から上方に回動して傾動可能に軸支されている。ストッパ部材１２は、磁石に吸着する鋼板などから形成されている。また、ベース板１１ａには床上に固定するための取付孔１１ｅが形成されている。
【００１３】
一方、ベース板１１ａに被せられるカバー１１ｂは、ベース板と同様な開口部と取付孔を有し、ベース板１１ａの上に嵌着される。ストッパ部材１２はカバー１１ｂの開口部から上方に回動自在となっている。
【００１４】
なお、図１、図６、図７では、ストッパ部材１２が斜め上方に傾動した状態を図示しているが、ストッパ部材１２は、自由状態において、その自重により取付板１１の開口部１１ｃ内に収納される。したがって、ストッパ１は通常時、平坦な平面形状を呈している。また、ストッパ１はその厚さが例えば３ｍｍ程度と薄く形成され、床上に取り付けた場合、床上の突き出し高さを最少に抑えて、床上の障害にならないようにしている。
【００１５】
一方、ストッパ受け具２は、図１〜図４に示すように、ケース２１内に磁石２４を揺動可能に装着して構成される。ケース２１は、底面を開口し、半円柱状の曲面形状の上面を有した形状に、合成樹脂などにより形成される。図４の断面図に示すように、ケース２１の内部には、磁石収納室２２が底面を開口して形成され、その磁石収納室２２内に磁石２４を保持した磁石ケース２３が揺動可能に収納されている。また、ケース２１内には、ストッパ受け具２を引き戸の下部に取り付けるために、取付孔２６が水平方向に形成されると共に、それと直交する垂直方向にも取付孔２７が形成されている。
【００１６】
磁石２４はネオジウムなどの強力な永久磁石により円柱状に形成され、図５に示すような磁石ケース２３内に収納されている。磁石ケース２３は、その上部に軸支部２３ａが形成され、その軸支部２３ａには水平方向に揺動軸２５が嵌挿されている。そして、この揺動軸２５の両端がケース２１の磁石収納室２２の壁部に嵌挿され、磁石ケース２３は、例えば約２°〜５°の範囲で揺動可能とされる。
【００１７】
また、図４に示すように、磁石２４を収納した磁石ケース２３は、自重で垂下した装着状態において、磁石２４の底面を、ケース２１の底面より角度θ（例えば約５°）だけ後方に傾斜して（引き戸の移動方向の後方に向けて上方に傾斜するように）装着されている。この磁石２４の揺動方向に沿った揺動面は、ストッパ部材１２の回動（傾動）方向に沿った傾動面と同一になるように装着される。
【００１８】
そして、磁石２４は、引き戸の停止時に、その底面の傾斜角度θが図９に示す如くさらに上記の角度範囲（例えば約５°〜１０°の範囲）で増大するように、揺動することができる。このような磁石ケース２３の揺動によって、磁石２４の吸着面の傾斜角度が変わり、引き戸の底面と床面の間隙が施工によって変わった場合にも、磁石２４の吸着面がストッパ部材１２の吸着面と一致するようにしている。
【００１９】
このように構成されたストッパ１は、アウトセット引き戸３の真下の床上に、取付ねじにより取り付けられる。アウトセット引き戸３は、図８、図９のように、その上部に走行ローラ５が取り付けられ、壁部などの上部に取り付けられた上レール４に、その走行ローラ５を係合させて、走行可能に装着される。
【００２０】
ストッパ部材１２の向きは、ストッパ部材１２が磁石に吸引されて上方に傾動する方向が、図８，９のように、アウトセット引き戸３の移動方向の後方に向うように、また、ストッパ部材１２が垂直面内で傾動するように取り付けられる。このストッパ１はストッパ部材１２を含めて板状に形成され、その厚さが例えば約３ｍｍに形成されているため、床上の障害物とならずに、取り付けることができる。
【００２１】
一方、ストッパ受け具２は、図８、図９に示すように、アウトセット引き戸３の底部に埋め込むように、取付ねじなどにより取り付けられる。このとき、ストッパ受け具２は、その内側の磁石ケース２３の揺動方向、つまり磁石２４の吸着面が引き戸の移動方向の後方を向くように、取り付けられる。これにより、磁石ケース２３の揺動面（垂直面）がストッパ部材１２の傾斜回動面（垂直面）と一致することとなり、磁石２４の吸着面がストッパ部材１２の吸着面と一致するように磁石ケース２３とストッパ部材１２が傾動することが可能となる。
【００２２】
アウトセット引き戸３は、上レール４に保持されて走行可能に取り付けられるが、施工現場での上レール４の取付状況に応じて、引き戸３の底部と床面との間隙は、狭く或いは広く微妙に変化する。しかしながら、本アウトセット引き戸用ストッパは、床面のストッパ部材１２が上方の任意の角度に傾斜するように傾動可能であり、また、ストッパ受け具２内の磁石ケース２３も、ストッパ部材１２の傾動に応じて、同じ面内で揺動可能であるため、引き戸の底部と床面の間隙は、図８、図９のように比較的狭い間隙Ｌ１から広い間隙Ｌ２と変えて施工された場合でも、ストッパ部材１２が正常に磁石２４の吸着面に吸着される。
【００２３】
アウトセット引き戸３が上レール４上を走行し、引き戸３の底部のストッパ受け具２が床上のストッパ１上に到達すると共に、図示しない上レールストッパなどに当って引き戸３が停止すると、床上のストッパ１のストッパ部材１２が、引き戸３の底部に設けたストッパ受け具２の磁石２４に吸引されて上方に傾動し、その磁石２４に吸着する。これにより、アウトセット引き戸３の底部が停止すると共に、床上に保持され、アウトセット引き戸３の停止時の跳ね返りが防止され、引き戸３の下部の振れも防止される。よって、アウトセット引き戸３は安定して良好に停止することができる。
【００２４】
このように、本発明のアウトセット引き戸用ストッパによれば、アウトセット引き戸の停止時の跳ね返りが防止されると共に、引き戸の下部の振れが阻止され、安定してアウトセット引き戸を停止させることができる。また、磁石の吸着面がストッパ部材の吸着面と一致するように、磁石ケースとストッパ部材が傾動可能であるから、アウトセット引き戸の施工状況に応じて、引き戸と床面の間隙が変わった場合でも、停止時には、その間隙の変化に対応して、磁石がストッパ部材に追従して傾動し、ストッパ部材が良好に吸着されて引き戸を保持することができる。
【図面の簡単な説明】
【００２５】
【図１】本発明のアウトセット引き戸用ストッパの斜視図である。
【図２】ストッパ受け具２の下からの斜視図である。
【図３】ストッパ受け具２の背面図である。
【図４】ストッパ受け具２の断面図である。
【図５】磁石ケース２３の正面図である。
【図６】ストッパ１の断面図である。
【図７】ストッパ１の分解斜視図である。
【図８】アウトセット引き戸用ストッパの使用態様を示す説明図である。
【図９】アウトセット引き戸用ストッパの使用態様を示す説明図である。
【符号の説明】
【００２６】
１−ストッパ
２−ストッパ受け具
３−アウトセット引き戸
１２−ストッパ部材
１３−回動軸
２３−磁石ケース
２４−磁石
２５−揺動軸
【図１】
2005120668.tif 000003
【図２】
2005120668.tif 000004
【図３】
2005120668.tif 000005
【図４】
2005120668.tif 000006
【図５】
2005120668.tif 000007
【図６】
2005120668.tif 000008
【図７】
2005120668.tif 000009
【図８】
2005120668.tif 000010
【図９】
2005120668.tif 000011